(57)【要約】【課題】密封が必要な特定の部品のみをポッティング剤によって密封することによってポッティング剤の使用量を減らし、コストダウンと軽量化を図ることができる回路モジュールの密封方法を提供すること。【解決手段】部品が実装された回路基板３をケース４内に収容して成る回路モジュール１の前記部品をポッティング剤によって密封する方法として、前記ケース４内の底部に固設された内壁５内にポッティング剤６を充填し、該ポッティング剤６中に前記回路基板３の特定の部品であるコイル２が浸漬するよう回路基板３を前記ケース４内に収容した後、前記ポッティング剤６を硬化させて前記回路基板３の特定の部品であるコイル２のみを密封する。【選択図】図１
2010147260.tif 000002
【特許請求の範囲】
【請求項１】
部品が実装された回路基板をケース内に収容し、該回路基板の前記部品をポッティング剤によって密封して成る回路モジュールにおいて、
前記回路基板の特定の部品を包囲する内壁を前記ケース内の底部に固設し、該内壁内に充填されたポッティング剤によって回路基板の特定の部品を密封したことを特徴とする回路モジュール。
【請求項２】
前記内壁の上部開口端周縁に切欠きを形成したことを特徴とする請求項１記載の回路モジュール。
【請求項３】
前記内壁を前記ケースに一体に形成したことを特徴とする請求項１又は２記載の回路モジュール。
【請求項４】
前記内壁よりも高さが低く且つ該内壁を包囲する第２の内壁を前記ケース内の底部に固設したことを特徴とする請求項１〜３の何れかに記載の回路モジュール。
【請求項５】
部品が実装された回路基板をケース内に収容して成る回路モジュールの前記部品をポッティング剤によって密封する方法であって、
前記ケース内の底部に固設された内壁内にポッティング剤を充填し、該ポッティング剤中に前記回路基板の特定の部品が浸漬するよう回路基板を前記ケース内に収容した後、前記ポッティング剤を硬化させて前記回路基板の特定の部品のみを密封することを特徴とする回路モジュールの密封方法。
【請求項６】
前記内壁の上部開口端周縁に切欠きを形成し、内壁内に充填されたポッティング剤の一部が前記切欠きから前記内壁外へ溢れ出るようにしたことを特徴とする請求項５記載の回路モジュールの密封方法。
【請求項７】
前記ポッティング剤を前記ケースに一体に形成された内壁内に充填することを特徴とする請求項５又は６記載の回路モジュール。
【請求項８】
前記内壁から溢れ出たポッティング剤を内壁の周囲に配された第２の内壁によって堰止めるようにしたことを特徴とする請求項５〜７の何れかに記載の回路モジュールの密封方法。
【発明の詳細な説明】
【技術分野】
【０００１】
本発明は、素子やコイル等の部品が実装された回路基板をケース内に収容して成る回路モジュール及びその密封方法に関するものである。
【背景技術】
【０００２】
素子やコイル等の部品が実装された回路基板をケース内に収容して成る回路モジュールにおいては、絶縁対策、放熱対策、防振対策、防水・防湿対策等のために回路基板上の部品が密封されているが、その密封方法の一例を図５（ａ），（ｂ）に示す（特許文献１参照）。
【０００３】
即ち、図５（ａ），（ｂ）は回路モジュール１０１の従来の密封方法をその工程順に示す断面図であり、図示の方法では、複数の素子１１１やコネクタ１１２が実装された回路基板１０３が図５（ａ）に示すようにケース１０４内に上方から収容される。次に、図５（ｂ）に示すように、ケース１０４内にウレタンゴム等のポッティング剤（充填剤）１０６を注入し、ケース１０４内に充填されたポッティング剤１０６を自然硬化又は熱硬化させ、該ポッティング剤１０６に浸漬された素子１１１やコネクタ１１２をポッティング剤１０６によって密封することが行われている。
【０００４】
又、特許文献２には、回路モジュールの素子が実装された回路基板上に枠体を取着し、各素子を取り囲む隔離壁を前記枠体内に設け、枠体内に注入されるポッティング剤（樹脂充填材）によって各素子を密封する方法が提案されている。
【特許文献１】特開２００７−３１１７０６号公報
【特許文献２】特開平１１−３４５９１６号公報
【発明の開示】
【発明が解決しようとする課題】
【０００５】
しかしながら、図５（ａ），（ｂ）に示す従来の密封方法では、回路モジュール１０１の使用環境条件（回路の発熱）が厳しくない場合であっても、振動防止のためにケース１０４内の全体にポッティング剤１０６を充填し、このポッティング剤１０６によって全ての素子１１１とコネクタ１１２を密封するようにしているため、多量のポッティング剤１０６を要し、コストアップを招くとともに、ポッティング剤１０６によって回路モジュール１０１全体の重量が増加するという問題がある。
【０００６】
ところで、近年、回路基板においては、有鉛半田から鉛フリー半田への移行が進んでおり、鉛フリー半田を使用した回路基板に実装された部品の密封をポッティング剤の充填によって行う場合には、密封された鉛フリー半田からウィスカが発生する可能性が指摘されており、狭ピッチの半田付け箇所を有する回路基板の密封をポッティング剤によって行う場合には十分な検証が必要である。
【０００７】
尚、特許文献２において提案された密封方法は、回路基板上に枠体を取着するものであって、回路基板をケース内に収容して成る回路モジュールを適用対象とするものではない。
【０００８】
本発明は上記問題に鑑みてなされたもので、その目的とする処は、密封が必要な特定の部品のみをポッティング剤によって密封することによってポッティング剤の使用量を減らし、コストダウンと軽量化を図ることができる回路モジュール及びその密封方法を提供することにある。
【課題を解決するための手段】
【０００９】
上記目的を達成するため、請求項１記載の発明は、部品が実装された回路基板をケース内に収容し、該回路基板の前記部品をポッティング剤によって密封して成る回路モジュールにおいて、前記回路基板の特定の部品を包囲する内壁を前記ケース内の底部に固設し、該内壁内に充填されたポッティング剤によって回路基板の特定の部品を密封したことを特徴とする。
【００１０】
請求項２記載の発明は、請求項１記載の発明において、前記内壁の上部開口端周縁に切欠きを形成したことを特徴とする。
【００１１】
請求項３記載の発明は、請求項１又は２記載の発明において、前記内壁を前記ケースに一体に形成したことを特徴とする。
【００１２】
請求項４記載の発明は、請求項１〜３の何れかに記載の発明において、前記内壁よりも高さが低く且つ該内壁を包囲する第２の内壁を前記ケース内の底部に固設したことを特徴とする。
【００１３】
請求項５記載の発明は、部品が実装された回路基板をケース内に収容して成る回路モジュールの前記部品をポッティング剤によって密封する方法として、前記ケース内の底部に固設された内壁内にポッティング剤を充填し、該ポッティング剤中に前記回路基板の特定の部品が浸漬するよう回路基板を前記ケース内に収容した後、前記ポッティング剤を硬化させて前記回路基板の特定の部品のみを密封することを特徴とする。
【００１４】
請求項６記載の発明は、請求項５記載の発明において、前記内壁の上部開口端周縁に切欠きを形成し、内壁内に充填されたポッティング剤の一部が前記切欠きから前記内壁外へ溢れ出るようにしたことを特徴とする。
【００１５】
請求項７記載の発明は、請求項５又は６記載の発明において、前記ポッティング剤を前記ケースに一体に形成された内壁内に充填することを特徴とする。
【００１６】
請求項８記載の発明は、請求項５〜７の何れかに記載の発明において、前記内壁から溢れ出たポッティング剤を内壁の周囲に配された第２の内壁によって堰止めるようにしたことを特徴とする。
【発明の効果】
【００１７】
請求項１及び５記載の発明によれば、回路基板の特定の部品を包囲する内壁内にポッティング剤を充填し、このポッティング剤を硬化させて特定の部品のみを密封するようにしたため、ケース内の全体にポッティング剤を充填する従来の方法に対してポッティング剤の使用量が少なくて済み、その分だけコストダウンと軽量化を図ることができる。
【００１８】
又、特定の部品のみを密封可能とすることによって、振動対策を特に配慮する必要のある機器を製作する場合において、重量部品であるコイル等のみを密封して固定することによって、少量のポッティング剤の使用で振動対策とすることができる。更に、発熱部品であるコイルや電解コンデンサ等をポッティング剤によって密封することによって、コイルや電解コンデンサ等の発熱部品は、機器内部の空気と接する場合と比べ、ポッティング剤と接することによる熱伝導により放熱性を高めることができる。そして、コイル等の重量部品のみをポッティング剤によって密封すれば、狭ピッチ部品の半田付け部分は密封しなくて済むため、その部分にウィスカが発生して短絡等の問題が引き起こされることもなくなる。
【００１９】
請求項２及び６記載の発明によれば、内壁の上部開口端周縁に切欠きを形成し、内壁内に充填されたポッティング剤の一部が切欠きから内壁外へ溢れ出るようにしたため、ポッティング剤の回路基板上での設置面積が広がり、その接着強度が高められる。
【００２０】
請求項３記載７記載の発明によれば、内壁をケースに一体に形成したため、内壁とケースとの接続部のシールが不要となり、内壁内に充填されたポッティング剤の漏れを確実に防ぐことができる。尚、内壁をケースに一体に形成する方法としては、両者を樹脂にて一体成形したり、アルミダイキャストによって一体成形する方法等が考えられる。
【００２１】
請求項４及び８記載の発明によれば、内壁から溢れ出たポッティング剤を内壁の周囲に配された第２の内壁によって堰止めるようにしたため、内壁から溢れ出るポッティング剤が広がる範囲を規定し、ポッティング剤の広がりによる不具合の発生を防ぐことができる。
【発明を実施するための最良の形態】
【００２２】
以下に本発明の実施の形態を添付図面に基づいて説明する。
【００２３】
＜実施の形態１＞
図１（ａ）〜（ｃ）は本発明の実施の形態１に係る回路モジュールの密封方法をその工程順に示す断面図、図２は同回路モジュールの内壁部の斜視図である。
【００２４】
本実施の形態に係る回路モジュール１は、図１（ｃ）に示すように、重量部品であるコイル２や不図示の素子やコネクタ等の部品が実装された回路基板３をケース４内に収容して構成されるが、ケース４内の底部には、回路基板３の特定の部品であるコイル２を包囲する内壁５が固設され、コイル２は、内壁５内に充填されたポッティング剤６によって密封されている。
【００２５】
ここで、上記ケース４は上面が開口する容器であって、その底部には、図２に示すような円筒状の内壁５が一体に形成されており、該内壁５のサイズはコイル２よりも一回り大きく設定され、その上面は開口している。尚、本実施の形態では、ケース４と内壁５とを樹脂にて一体成形したが、両者をアルミダイキャスト等によって一体成形しても良い。又、内壁５内に充填されるポッティング剤６としては、ポリウレタン樹脂やシリコン樹脂、ウレタンゴム等が好適に使用される。
【００２６】
次に、上記のように構成された回路モジュール１の密封方法を図１（ａ）〜（ｃ）に従って説明する。
【００２７】
先ず、図１（ａ）に示すようにケース４内の底部に固設された内壁５内にポッティング剤６を充填した後、図１（ｂ）に示すように回路基板３をコイル２を下にしてケース４の上面開口部４ａからケース４内に落とし込んで図１（ｃ）に示すようにコイル２を内壁５内のポッティング剤６中に浸漬させる。そして、その状態を放置してポッティング剤６を自然硬化させ、或いはポッティング剤６を所定温度に加熱して熱硬化させる（ポッティング剤６が熱硬化性樹脂である場合）。すると、回路基板３の特定の部品であるコイル２のみがポッティング剤６によって密封され、図１（ｃ）に示す回路モジュール１が得られる。
【００２８】
以上のように、本実施の形態においては、回路基板３の特定の部品であるコイル２を包囲する内壁５内にポッティング剤６を充填し、このポッティング剤６を硬化させてコイル２のみを密封するようにしたため、ケース４内の全体にポッティング剤６を充填する従来の方法（図５参照）に対してポッティング剤６の使用量が少なくて済み、その分だけコストダウンと軽量化を図ることができる。
【００２９】
又、振動対策が必要な機器の製作において重量部品であるコイル２のみを密封することによって該コイル２の振動を抑制することができ、同時に重量部品の振動により回路基板３に撓みや歪みが繰り返し生じることを防止することができる。又、発熱部品であるコイル２や不図示の電解コンデンサ等をポッティング剤６によって密封することによって該コイル２等のポッティング剤６への熱伝導による放熱性を高め、その温度上昇を抑えることができる。そして、重量部品であるコイル２のみをポッティング剤６によって密封すれば、回路基板３上の狭ピッチの半田付け部分は密封しなくて済むため、その部分にウィスカが発生して短絡等の問題が引き起こされることもなくなる。
【００３０】
更に、本実施の形態では、内壁５をケース４に一体に形成したため、内壁５とケース４との接続部のシールが不要となり、内壁５内に充填されたポッティング剤６の漏れを確実に防ぐことができるとともに、内壁５とケース４の製作が容易化して製作コストが低く抑えられるという効果も得られる。
【００３１】
＜実施の形態２＞
次に、本発明の実施の形態２を図３（ａ）〜（ｄ）及び図４に基づいて説明する。
【００３２】
図３（ａ）〜（ｃ）は本発明の実施の形態２に係る回路モジュールの密封方法をその工程順に示す断面図、図４は同回路モジュールの内壁部の斜視図であり、これらの図においては図１及び図２において示したものと同一要素には同一符号を付しており、以下、それらについての再度の説明は省略する。
【００３３】
本実施の形態に係る回路モジュール１’は、図３（ｃ）に示すように、円筒状の内壁５の上部開口端周縁に所定深さの矩形状の切欠き５ａを複数形成し、この内壁５の周囲を、該内壁５よりも高さが低いリング状の第２の内壁７で包囲したことを特徴としており、他の構成は前記実施の形態１に係る回路モジュール１のそれと同じである。
【００３４】
而して、本実施の形態においても、回路基板３の特定の部品であるコイル２がポッティグ剤６によって密封されるが、この密封に際しては図３（ａ）に示すようにケース４内の底部に固設された内壁５内にポッティング剤６を充填した後、図３（ｂ）に示すように回路基板３をコイル２を下にしてケース４の上面開口部４ａからケース４内に落とし込んで図３（ｃ）に示すようにコイル２を内壁５内のポッティング剤６中に浸漬させる。この場合、内壁５内の過剰なポッティング剤６が内壁上部周縁に形成された複数の切欠き５ａから漏れ出して回路基板３上に堆積するが、内壁５の外側はリング状の第２の内壁７によって包囲されているため、内壁５の外へ漏れ出たポッティング剤６は、第２の内壁７の外へ流出することがない。
【００３５】
そして、上記状態を放置してポッティング剤６を自然硬化させ、或いはポッティング剤６を所定温度に加熱して熱硬化させる（ポッティング剤６が熱硬化性樹脂である場合）と、回路基板３の特定の部品であるコイル２のみがポッティング剤６によって密封され、図３（ｃ）に示す回路モジュール１’が得られる。
【００３６】
以上のように、本実施の形態においても、回路基板３の特定の部品であるコイル２のみをポッティング剤６によって密封するようにしたため、前記実施の形態１と同様の効果が得られるが、本実施の形態では、内壁５の上部開口端周縁に切欠き５ａを形成し、内壁５内に充填されたポッティング剤６の一部が切欠き５ａから内壁５外へ溢れ出るようにしたため、ポッティング剤６の回路基板３上での設置面積が広がり、その接着強度が高められるという効果が得られる。そして、この場合、内壁５から溢れ出たポッティング剤６を内壁５の周囲に配された第２の内壁７によって堰止めるようにしたため、内壁５から溢れ出るポッティング剤６が広がる範囲を規定し、ポッティング剤６の広がりによる不具合の発生を防ぐことができる。
【００３７】
尚、以上の実施の形態では回路基板の主にコイルを密封する例について説明したが、他の任意の部品を同様に密封することができる。又、実施の形態では円筒状の内壁を用いたが、内壁の形状は密封すべき部品の形状に合わせて任意のものを使用することができる。更に、実施の形態では自然硬化型又は熱硬化型のポッティング剤を用いたが、ポッティング剤の硬化形態はこれに限定されない。硬化開始剤を用いる２液性型や紫外線等の光によって硬化する光硬化型等、開始時に液状であって硬化する材料であればその硬化形態は問わない。
【産業上の利用可能性】
【００３８】
本発明は、車両用前照灯、フォグランプ、ＤＲＬランプ、車載用ＬＥＤランプ等の各種ＬＥＤ照明器具、電源装置全般に備えられる回路モジュールとその密封方法に対して適用可能である。
【図面の簡単な説明】
【００３９】
【図１】（ａ）〜（ｃ）は本発明の実施の形態１に係る回路モジュールの密封方法をその工程順に示す断面図である。
【図２】本発明の実施の形態１に係る回路モジュールの内壁部の斜視図である。
【図３】（ａ）〜（ｃ）は本発明の実施の形態２に係る回路モジュールの密封方法をその工程順に示す断面図である。
【図４】本発明の実施の形態２に係る回路モジュールの内壁部の斜視図である。
【図５】（ａ），（ｂ）は回路モジュールの従来の密封方法をその工程順に示す断面図である。
【符号の説明】
【００４０】
１，１’  回路モジュール
２        コイル（特定の部品）
３        回路基板
４        ケース
４ａ      ケースの上面開口部
５        内壁
５ａ      内壁の切欠き
６        ポッティング剤
７        第２の内壁
【図１】
2010147260.tif 000003
【図２】
2010147260.tif 000004
【図３】
2010147260.tif 000005
【図４】
2010147260.tif 000006
【図５】
2010147260.tif 000007